(57)【要約】【課題】操作パネルの周囲から筐体内部に水が入り込んでも、操作パネルの裏側に設けられている電気部品等の損傷を防止することができる衣類乾燥機を提供する。【解決手段】筐体２の前板３に設けられた操作部５は、操作パネル７と、枠体部８とを備える。枠体部８は、操作パネル７の裏側に設けられた電気部品９の上方に張り出す上部枠８ａと、上部枠８ａの両端の夫々に連続して下方に延びる側部枠８ｂとを備える。上部枠８ａは、水受け部１１を備える。側部枠８ｂは、水受け部１１が受けた水を筐体２の底部方向に案内する水案内部１３を備える。【選択図】図３
2019208894.tif 000002
【特許請求の範囲】
【請求項１】
筐体と、該筐体の前板に設けられた開閉ドアと、該開閉ドアにより開閉されて内部に衣類を収容する乾燥室と、衣類乾燥運転に関する操作を行うための操作部とを備え、該操作部が前記筐体の前板に設けられている衣類乾燥機において、
前記筐体は、その前板に前記操作部を取り付ける取付開口部を備え、
前記操作部は、前記筐体の前板の前面に露出する操作パネルと、前記取付開口部に嵌め込まれる枠体部とを備え、
前記枠体部は、前記操作パネルの裏側に設けられた電気部品の上方に張り出す上部枠と、該上部枠の両端の夫々に連続して下方に延びる側部枠とを備え、
前記枠体部の上部枠は、前記取付開口部から入った水を受ける水受け部を備え、
前記枠体部の少なくとも一方の側部枠は、前記上部枠の前記水受け部が受けた水を前記筐体の底部方向に案内する水案内部を備えることを特徴とする衣類乾燥機。
【請求項２】
請求項２記載の衣類乾燥機において、
前記水受け部は、前記上部枠の上面と、該上面から起立する方向に形成されて前記前板の裏面に対向する起立壁とで構成され、
前記水案内路は、前記上部枠の上面に連続する前記側部枠の外側面と、前記起立面に連続して前記外側面から横方向に張り出す張出壁とで構成されることを特徴とする衣類乾燥機。
【請求項３】
請求項２又は３記載の衣類乾燥機において、
前記操作パネルは、その外周縁に沿った裏面が、前記取付開口部に沿った前記前板の前面に当接する形状とされており、
前記枠体部は、前記前板を前記操作パネルに圧接させるべく前記前板にその裏面側から当接する当接部を備えることを特徴とする衣類乾燥機。
【発明の詳細な説明】
【技術分野】
【０００１】
本発明は、衣類乾燥機に関する。
【背景技術】
【０００２】
従来、衣類乾燥機として、筐体の前板の開閉ドアの近傍に操作パネルが設けられているものが知られている（例えば、特許文献１参照）。筐体内には、衣類を収容して乾燥を行う回転ドラム等の乾燥室が設けられている。開閉ドアは乾燥室の前面を開閉する。
【０００３】
開閉ドアによって前面が閉塞された乾燥室には、衣類を乾燥させる乾燥用空気が供給されて乾燥運転が行われる。
【０００４】
乾燥運転の操作は、前記操作パネルに設けられているスイッチ類を操作することにより行われる。
【先行技術文献】
【特許文献】
【０００５】
【特許文献１】特開平５−３９９８号公報（図１）
【発明の概要】
【発明が解決しようとする課題】
【０００６】
ところで、この種の衣類乾燥機は、一般に、屋内に設置することを前提としており、十分な耐候性を有していない。このため、例えばベランダ等の屋外に設置した場合には、操作パネルの周囲から雨水が浸入して操作パネルの裏側に設けられている電気部品を損傷するおそれがある。
【０００７】
そこで、筐体の前板と操作パネルとの間に合成ゴム等によるパッキンを設けて操作パネルの周囲の防水性を向上させることが考えられる。
【０００８】
しかし、前記パッキンを設けて防水性を向上させる場合には、部品点数が増加すると共に組立工数も増加するため、製造コストが高くなる不都合がある。しかも、前記パッキンに劣化が生じた場合には、防水性が低下するため、前記パッキンの交換等が必要となる不都合がある。
【０００９】
上記の点に鑑み、本発明は、操作パネルの周囲から筐体内部に水が入り込んでも、操作パネルの裏側に設けられている電気部品等の損傷を防止することができる衣類乾燥機を提供することを目的とする。
【課題を解決するための手段】
【００１０】
かかる目的を達成するために、本発明は、筐体と、該筐体の前板に設けられた開閉ドアと、該開閉ドアにより開閉されて内部に衣類を収容する乾燥室と、衣類乾燥運転に関する操作を行うための操作部とを備え、該操作部が前記筐体の前板に設けられている衣類乾燥機において、前記筐体は、その前板に前記操作部を取り付ける取付開口部を備え、前記操作部は、前記筐体の前板の前面に露出する操作パネルと、前記取付開口部に嵌め込まれる枠体部とを備え、前記枠体部は、前記操作パネルの裏側に設けられた電気部品の上方に張り出す上枠部と、該上枠部の両端の夫々に連続して下方に延びる側枠部とを備え、前記枠体部の上枠部は、前記取付開口部から入った水を受ける水受け部を備え、前記枠体部の少なくとも一方の側枠部は、前記上枠部の前記水受け部が受けた水を前記筐体の底部方向に案内する水案内部を備えることを特徴とする。
【００１１】
本発明によれば、取付開口部から筐体内部に入った水を、上枠部の水受け部により受けた後、水案内部により案内して筐体の底部（底部方向）に流し、筐体外部に排出する。これによれば、上枠部の下方にある電気部品等への水の付着による損傷を防止することができる。
【００１２】
また、本発明において、前記水受け部は、前記上枠部の上面と、該上面から起立する方向に形成されて前記前板の裏面に対向する起立壁とで構成され、前記水案内路は、前記上枠部の上面に連続する前記側枠部の外側面と、前記起立面に連続して前記外側面から横方向に張り出す張出壁とで構成されることを特徴とする。
【００１３】
水受け部を、上枠部の上面と起立壁とで構成することにより、取付開口部から入って上枠部の上面に流れた水は起立壁により堰き止められる。これによって、上枠部の上面の水が起立壁よりも後方に流れ込むことがない。更に、水案内路を、側枠部の外側面と張出壁とで構成することにより、起立壁により堰き止められた上枠部の上面の水は、側枠部の外側面を伝って下方に流れ落ちる。このとき、側枠部の外側面を伝って流れる水は、張出壁に当接して下方に案内されるので、張出壁よりも後方に入り込むことがない。このように、水受け部及び水案内路を比較的構造簡単に形成して、取付開口部から筐体内部に入った水を枠体部の側方から下方に円滑に流すことができる。
【００１４】
また、本発明において、前記操作パネルは、その外周縁に沿った裏面が、前記取付開口部に沿った前記前板の前面に当接する形状とされており、前記枠体部は、前記前板を前記操作パネルに圧接させるべく前記前板にその裏面側から当接する当接部を備えることを特徴とする。
【００１５】
枠体部が備える当接部は、前板に裏面側から当接することにより前板の前面を操作パネルの裏面に圧接させる（相対的には、操作パネルの裏面を前板の前面に圧接させる）。これにより、前板の前面と操作パネルの裏面とをガタツキなく密着させることができ、取付開口部から筐体内部への水の入り込みを確実に防止することができる。よって、パッキン等を用いることなく取付開口部と枠体部との間に防水性を付与することができ、パッキン等の劣化もないので、長期に亘り防水性を維持することができる。
【図面の簡単な説明】
【００１６】
【図１】本発明の実施形態の衣類乾燥機の外観を示す斜視図。
【図２】図１の一部を分解して示す説明的斜視図。
【図３】操作部の裏面側を示す斜視図。
【図４】操作部の一部の説明的断面図。
【図５】操作部の一部を示す説明的斜視図。
【図６】操作部の背面側の一部を示す図。
【発明を実施するための形態】
【００１７】
本発明の一実施形態を図面に基づいて説明する。図１に示すように、本実施形態の衣類乾燥機１は、筐体２の前板３に開閉ドア４と操作部５とを備えている。開閉ドア４は、筐体２の内部に収容されている図示しない乾燥室の前端を開閉する。乾燥室は、例えば回転ドラムによって構成され、その内部に脱水処理を行った洗濯物を収容する。乾燥室は、乾燥空気を供給して洗濯物の乾燥運転を行う。このとき、使用者は、操作部５を介して乾燥運転時の各設定や作動指示等を行う。
【００１８】
筐体２の前板３には、図２に示すように、操作部５を取り付けるための取付開口部６が形成されている。操作部５は、図２及び図３に示すように、操作パネル７と枠体部８とを備えている。操作パネル７は、複数の操作スイッチ７ａや表示部７ｂを備え、図１に示すように、筐体２の前板３の前面に露出した状態で設けられる。操作パネル５の裏側には、図３に示すように、各操作スイッチ７ａや表示部７ｂに電気的に接続された回路基板９（電気部品）が支持されている。枠体部８は、回路基板９の外周を包囲する形状に形成されている。
【００１９】
枠体部８は、操作パネル７と一体に形成されており、図３に示すように、上枠部８ａと、側枠部８ｂと、下枠部８ｃとで構成されている。上枠部８ａは、回路基板９の上方に張り出して回路基板９の上方を覆う。
【００２０】
また、上枠部８ａの上面には、図４に示すように、筐体２の前板３にその裏面側から当接する（即ち、取付開口部６の内周縁にその後方から当接する）当接突起１０（当接部）が間隔を存して複数形成されている。当接突起１０により、操作パネル７の裏面に筐体２の前板３を密着させることができ、操作パネル７と筐体２の前板３との間に防水性を付与することができる。
【００２１】
また、上枠部８ａは、水受け部１１を備えている。上枠部８ａは、その後端縁から起立して前板３の裏面に対向する起立壁１２を備えている。水受け部１１は、上枠部８ａの上面と、起立壁１２とによって構成される。水が操作パネル７と筐体２の前板３との間から入り込んで、上枠部８ａの上面から筐体２の内部方向に流れようとするとき、この水は、起立壁１２によって堰き止められるので、回路基板９への水の付着を防止することができる。
【００２２】
側枠部８ｂは、図３に示すように、上枠部８ａの長手方向の両端の夫々に連続して下方に延び、回路基板９の側方を覆う。側枠部８ｂは、図３及び図５に示すように、その外側面に形成された凹状の水案内部１３を備え、この水案内部１３の凹入形状により、側枠部８ｂの後端縁から横方に張り出す張出壁１４が形成されている。
【００２３】
図６に矢印によって水の流れを模式的に示すように、上枠部８ａの上面の水受け部１１から側枠部８ｂに向かって流れる水は、凹状の水案内部１３に入って側枠部８ｂに沿って流下し、水案内部１３の下面壁１３ａによって外方に案内された後、筐体２の底部に流れ落ちる。このように、水案内部１４が水を回路基板９から離れる方向に案内するので、回路基板９への水の付着を防止することができる。
【００２４】
以上のように、本実施形態の衣類乾燥機１は、操作部５の枠体部８の上枠部８ａに設けた当接突起１０によって、パッキン等を用いることなく操作部５と筐体２の前板３との間の防水性が長期に亘って維持できる。そして、万一、操作部５と取付開口部６との間から筐体２の内部へ水が入り込んでも、枠体部８が備える水受け部１１及び水案内部１３によって、回路基板９への水の付着が防止される。
【００２５】
よって、本実施形態の衣類乾燥機１は、ベランダ等の屋外に設置した場合に、操作部５の裏側にある回路基板９（電気部品等）への雨水の付着による損傷を防止することができる。
【００２６】
なお、本実施形態においては、操作部５が開閉ドア４の下方に位置するものを示したが、操作部の位置は、これに限るものではなく、例えば、開閉ドアの上方や横方に位置していてもよい。そして、図示しないが、開閉ドアの上方や横方に操作部を配置した場合には、操作部の枠体部に設ける水案内部は、水受け部が受けた水を、筐体の側壁内面等を迂回して底部方向に流すように構成すればよい。
【符号の説明】
【００２７】
１…衣類乾燥機、２…筐体、３…前板、４…開閉ドア、５…操作部、６…取付開口部、７…操作パネル、８…枠体部、８ａ…上部枠、８ｂ…側部枠、９…回路基板（電気部品）、１０…当接部、１１…水受け部、１２…起立壁、１３…水案内部、１４…張出壁。
【図１】
2019208894.tif 000003
【図２】
2019208894.tif 000004
【図３】
2019208894.tif 000005
【図４】
2019208894.tif 000006
【図５】
2019208894.tif 000007
【図６】
2019208894.tif 000008